(57)【要約】【課題】例えば、文化財や絵画等近傍では撮影動作を禁止させたい場合等のように、所定のエリア内においては撮像装置の動作設定を変更させる。【解決手段】撮影管理装置１は、被写体像を撮像する撮像装置２の動作設定を制御するための制御信号を、設定された空間範囲内で発信し、撮像装置２は、当該空間範囲内への進入により制御信号を受信すると、その制御信号に基づいて動作設定を自動的に変更する。【選択図】  図１
2004201232.tif 000002
【特許請求の範囲】
【請求項１】
被写体像を撮像する撮像装置の動作設定を自動的に変更させるための制御信号を、設定された空間範囲内で発信する通信手段を有することを特徴とする撮影管理装置。
【発明の詳細な説明】
【０００１】
【発明の属する技術分野】
本発明は、所定のエリア内において撮像装置の動作設定を自動的に変更させるための技術に関するものである。
【０００２】
【従来の技術】
ある特定の場所や被写体において、撮影条件が指定されたり、撮影そのものが禁止されたりすることがある。たとえば、文化財や美術品等で、作品の保護を目的としてストロボの使用が禁止される場合や、時には撮影そのものが禁止される場合もある。従来は、このような場合、撮像装置の使用者の責任において、撮像装置の設定を行う、もしくは撮影を行わないことが求められていた。
【０００３】
【発明が解決しようとする課題】
しかしながら、撮像装置の設定をうっかり忘れていたり、設定を行いたくてもやり方が分からなかったりすることがあった。また、悪意を持って意識的に不適切な撮影設定で撮影が行われたりすることもあった。
【０００４】
本発明は、上記問題点に鑑みてなされたものであり、例えば、文化財や絵画等近傍では撮影動作を禁止させたい場合等のように、所定のエリア内においては撮像装置の動作設定を変更させることを目的とする。
【０００５】
【課題を解決するための手段】
斯かる目的を達成するために、本発明の撮影管理装置は、被写体像を撮像する撮像装置の動作設定を制御するための制御信号を、設定された空間範囲内で発信する通信手段を有し、前記空間範囲内への進入により前記撮像装置が前記制御信号を受信すると、前記撮像装置は前記制御信号に基づいて動作設定を自動的に変更することを特徴とする。
【０００６】
【発明の実施の形態】
以下、本発明を適用した好適な実施形態を、添付図面を参照しながら詳細に説明する。
図１は本発明の一実施形態におけるシステム構成を概念的に示した図である。本実施形態では、撮影条件を限定する必要がある被写体３の近くに、撮影管理装置１を設置する。撮影管理装置１は、常に、撮影条件を限定するために信号を無線で発信している。撮像装置である電子カメラ２が被写体３に近づくと、電子カメラ２は撮影管理装置１が発信している信号を受信する。電子カメラ２では、受信した信号に応じて自動的に撮影条件が設定、もしくは、撮影そのものが禁止されるというものである。
【０００７】
図２は、本発明の一実施形態における撮像装置である電子カメラ２の背面斜視図であり、図３はその概略構成を示した図である。
図２において、２００は電子カメラ本体（撮像装置本体）、２０１は電源ボタン、２０２は液晶表示器等より成る表示部（モニタ）、２０３は表示パネル、２０４はシャッタボタン、２０５は操作ボタン、２０６はメニューボタン、２０７はセットボタン、２０８は再生ボタン、２０９はコンピュータと接続する場合などに用いるＵＳＢコネクタ、２１０は撮影管理装置１との通信を行うためのアンテナである。なお、アンテナ２１０は説明のために図の様に表示してあるが、実際はほとんどの部分がカメラ本体内部に埋め込まれるため、外部からは見えない。
【０００８】
メニューボタン２０６が押されると、表示部２０２の画面上に電子カメラ２の制御メニューが表示される。ユーザは操作ボタン２０５とセットボタン２０７を操作することにより、電子カメラ２の設定を変更することができる。シャッタボタン２０４が押されると、撮影が実行される。撮影された画像データは、ＪＰＥＧファイルとして、電子カメラ２の画像記憶装置に保存される。ユーザが再生ボタン２０８を操作すると、前記画像記憶装置に格納される撮影画像が再生され、表示手段２０２の画面上に表示される。ここまでの機能自体は、従来の電子カメラと同じである。
【０００９】
図３は、電子カメラ２の概略構成を示すブロック図である。但し、図３には、本実施形態に係る電子カメラ２のシステムの機能を理解する上で必要な機能ブロックのみを図示してある。
図３に示すように、電子カメラ２は、撮像ユニット４０１、主記憶装置（バッファメモリ）４０２、画像記憶装置４０３、ＵＳＢインタフェース（ＵＳＢ Ｉ／Ｆ）４０４、表示ユニット４０５、コントロールユニット４０６、ボタン・スイッチユニット４０７及び、撮影管理信号送受信ユニット４０８を有している。
【００１０】
撮像ユニット４０１は、撮影レンズ及び撮像素子を含み、撮影画像を画像データとして出力する。主記憶装置４０２は、撮像ユニット４０１からの画像データを一時的に保存すると共に、電子カメラ２内での各種処理を行うために必要となるメモリ空間を提供する。
【００１１】
画像記憶装置４０３は、主記憶装置４０２に一時的に格納される画像データをファイルとして保存するものであり、取り外し可能な記録媒体としてのフラッシュメモリカードから成る。ＵＳＢインタフェース４０４は、データ転送ケーブル７を介して電子カメラ２をコンピュータ等と接続するものである。
【００１２】
表示ユニット４０５は、画像再生回路及び表示部２０２及び表示パネル２０３から成る。コントロールユニット４０６は、電子カメラ２全体を制御するものである。ボタン・スイッチユニット４０７は、図２で説明した電源スイッチ２０１及び各種のボタン２０４〜２０８の操作をコントロールユニット４０６に伝達するものである。
【００１３】
撮影管理信号送受信ユニット４０８は、本発明での特徴的な構成で、撮影管理装置１との通信を行うものであり、受信した信号をコントロールユニット４０６に伝達したり、また、コントロールユニット４０６からの信号を撮影管理装置１に送信したりする。この中には図２のアンテナ２１０も含まれる。
【００１４】
次に、本発明の一実施形態における撮影管理装置１について説明する。
図４は、本実施形態における撮影管理装置１の斜視図であり、図５はその概略構成を示す図である。
図４において、１００は撮影管理装置本体、１０１はモードスイッチ、１０２は範囲指定スイッチ、１０３はコンピュータと接続する場合等に用いるUSBコネクタ、１０４は電波を送受信するためのアンテナである。
【００１５】
モードスイッチ１０１は３ポジションのスライド式のスイッチとなっており、撮影管理装置１の動作モードを指定するもので、ストロボ使用禁止信号を送信するのか、または、撮影禁止信号を送信するのかを指定できる。なお、モードスイッチ１０１は撮影管理装置の主電源スイッチも兼ねている。範囲指定スイッチ１０２は無段階のスライド式スイッチとなっており、撮影管理電波の影響範囲を指定する。これらにより、モードスイッチ１０１で指定されている情報の電波が範囲スイッチ１０２で指定されている範囲に送出される。
【００１６】
図５は、撮影管理装置１の概略構成を示すブロック図である。ただし、図５には、本実施の形態に係る撮影管理装置１のシステムの機能を理解する上で必要な機能ブロックのみを表示してある。
図５に示すように、撮影管理装置１は、主記憶装置（バッファメモリ）５０１、画像記憶装置５０２、USBインタフェース（USB I/F）５０３、コントロールユニット５０４、スイッチユニット５０５、撮影管理信号送受信ユニット５０６を有している。
【００１７】
主記憶装置５０１は、撮影管理装置１内での各種処理を行うために必要となるメモリ空間を提供する。画像記憶装置５０２は代替画像データを保存しておくためのものである。USBインタフェース５０３はデータ転送ケーブルを介してコンピュータ等と接続するためのものである。画像記憶装置５０２に保存される代替画像データはこのUSBインタフェース５０３を介して、コンピュータから設定される。
【００１８】
コントロールユニット５０４は、撮影管理装置１全体を制御するものである。スイッチユニット５０５はモードや範囲の設定を行うもので、図４で説明したモード設定スイッチ１０１、範囲指定スイッチ１０２の操作をコントロールユニット５０４に伝達するものである。撮影管理信号送受信ユニットは、撮影管理信号や代替画像データを送出し、また、電子カメラ２からの代替画像要求を受信し、コントロールユニット５０４に伝達するものである。
【００１９】
次に、電子カメラ２の撮影設定を撮影管理装置１からの撮影管理信号により限定する方法について説明する。
図６は、本発明の一実施形態における電子カメラ２の動作を説明するためのフローチャートである。
電子カメラ２が撮影管理装置１から十分に離れている場合には、撮影管理装置１からの信号を受信しないので、図６のステップS６１、S６３、S６５、S６７、S６９と実行される。この状態では、見た目上、従来の電子カメラの動作となんら変わりはない。
【００２０】
電子カメラ２が撮影管理装置１に近付き、撮影管理信号を受信している場合、まず、ステップS６１で、その信号が撮影禁止信号かを調べる。撮影禁止信号の場合にはステップS６２において、撮影禁止処理を行う。撮影禁止処理についての詳細は後述する。受信信号が撮影禁止信号ではなかった場合、ステップS６３で、退避するために保存された撮影モードデータがあるかを調べる。これは、後述する撮影禁止処理中に、撮影禁止を行う前の撮影モードを記憶してあるものである。ステップS６３でYesとなりステップS６４に移行するのは、撮影禁止状態から抜ける、つまり、撮影管理装置から離れて撮影禁止信号を受信しなくなった場合である。ステップS６４では、保存されていた撮影モードを復元し、電子カメラ２を通常の撮影可能な状態に戻す。
【００２１】
ステップS６５では、受信した信号がストロボ発光禁止信号かを判定する。ストロボ判定禁止処理の場合には、ステップS６６に移行し、ストロボ禁止処理を行う。ストロボ禁止処理の詳細については後述する。ストロボ発光禁止信号ではない場合には、ステップS６７にて、保存されたストロボモードデータがあるかを調べる。これは、後述するストロボ禁止処理中に、ストロボ禁止設定を行う前のストロボモードを記憶しているものである。ステップS６７でYesとなりステップS６８に移行するのは、ストロボ発光禁止状態から抜ける、つまり、撮影管理装置から離れてストロボ発光禁止信号を受信しなくなった場合である。ステップS６８では、保存されていたストロボ発光モードを復元し、カメラのストロボ発光設定を通常の状態に戻す。ステップS６９では、通常の電子カメラの動作を行う。この動作については、本発明の説明には直接関係ないので省略する。
【００２２】
図７にストロボ発光禁止処理の動作を説明するためのフローチャートを示す。これは図６のステップS６６に当たるものである。
まず、ステップS７１で、ストロボ発光禁止モードになっているかを調べる。すでにストロボ発光禁止モードになっている場合には、ステップS７４に進む。ストロボ発光禁止モードになっていない場合には、ステップS７２に進む。ステップS７２では、その時のストロボモードを退避、保存しておく。これは、ストロボ発光禁止モードから抜けるときに、以前の設定を復元する処理で使われる。図６のステップS６８の処理がこれに当たる。
【００２３】
次に、ステップS７３において、ストロボの発光モードを強制非発光にする。ステップS７４では、電子カメラの表示手段２０２に、図９のストロボ発光禁止状態マーク９０１を表示し、電子カメラの使用者にストロボが使用できないことを知らせる。同時に、表示パネル２０３にもストロボが非発光モードであることを表示する。
【００２４】
図８に撮影禁止処理の動作を説明するためのフローチャートを示す。これは、図６のステップS６２にあたる処理である。
まず、ステップS８１で、既に撮影禁止モードになっているかを調べ、なっていない場合にはステップS８２に処理を進める。ステップS８２では、その時の撮影モードの情報を退避、保存しておく。この情報は、撮影禁止モードから抜けて、通常の状態に戻る時に、以前の設定を復元する処理で使われる。図６のステップS６４がこの処理に当たる。
【００２５】
次に、ステップS８３で電子カメラ２を撮影できない状態にセットする。具体的には、シャッタボタン２０４からの入力を無効にする等の処理を行う。次にステップS８４で、代替画像を取得するかを使用者に問い合わせる。具体的には、図１０に示すメッセージを電子カメラの表示部２０２に表示、使用者からの入力を待つ。ステップS８４で代替画像を取得するとされた場合、つまり、図１０で、「はい」１００１が選択された場合には、ステップS８５で代替画像を取得する処理を行う。図１０で「いいえ」１００２が選択された場合にはステップS９に処理を移す。ステップS８６では、図１２に示す画面を電子カメラの表示部２０２に表示し、現在、撮影禁止であることを使用者に通知する。
【００２６】
図１１に示すのは図８のステップS８６の代替画像取得処理時における電子カメラの表示手段２０２での表示例である。図１１では、撮影制御装置から取得した代替画像の縮小画像の一覧が表示されており、使用者は必要な画像を操作ボタン２０５で選択し、撮影制御装置１から取得することができる。これらの操作は、はじめに一覧を縮小画像で取得することにより、通信量、また、通信時間を短縮するために行われる。この処理を図１３に示すフローチャートで説明する。
【００２７】
先ず、ステップS１３１で、代替画像の縮小画像一覧を撮影制御装置１から取得する。取得した画像データはステップS１３２で電子カメラ２の表示手段２０２に表示される。次にステップS１３３で使用者からの入力を待つ。選択を示すセットボタン２０７が押された場合には、ステップS１３４にて、選択されている縮小画像に相当する主画像データを撮影制御装置１から取得、ステップS１３５にて、電子カメラ２の補助記憶装置に格納する。複数の代替画像を取得する場合には、ステップS１３３、S１３４、S１３５をくり返すことになる。
【００２８】
図１４に示すのは、このときの撮影制御装置１の動作を説明するフローチャートである。
ステップS１４１、S１４３で、要求された信号により処理を分岐する。代替画像の縮小画像一覧が要求された場合には、ステップS１４２にて、撮影制御装置の補助記憶装置に格納されている縮小画像の一覧データを送信する。一方、主画像が要求された場合には、ステップS１４４にて、信号に含まれている画像番号に相当する主画像データを送信する。
【００２９】
このように、本実施の形態では、基本的に撮影制御装置１から連続して放出される信号を受信することで、電子カメラ２の動作を制御している。また、電子カメラ２での撮影が禁止された場合、代わりとなる画像を撮影制御装置１から取得することで、使用者が被写体の画像データを取得する手段を提供している。
【００３０】
以上詳述したように、本発明の上記実施形態によれば、撮影制御装置からの信号を受信すると、自動的に機能を限定するようにできる。これにより、文化財や絵画等で、ストロボ撮影を禁止したい場合、もしくは撮影そのものを禁止したい場合に、撮像装置の設定を自動的に適切なものに設定することが可能になる。また、他の実施形態として、同じく撮影制御装置からの信号の受信により、撮像装置上の操作音の発音を禁止させることもできる。さらに、撮影を禁止する場合には、代わりとなる画像データを撮像装置に転送することで、使用者の不満を低減することができる。
【００３１】
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００３２】
この場合、記憶媒体から読み出されたプログラムコード自体が前述した実施形態の機能を実現することになり、プログラムコード自体及びそのプログラムコードを記憶した記憶媒体は本発明を構成することになる。
【００３３】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００３４】
また、コンピュータが読み出したプログラムコードを実行することにより、前述した実施形態の機能が実現されるだけでなく、そのプログラムコードの指示に基づき、コンピュータ上で稼動しているＯＳ(基本システム或いはオペレーティングシステム)などが実際の処理の一部又は全部を行い、その処理によって前述した実施形態の機能が実現される場合も含まれることは言うまでもない。
【００３５】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【００３６】
ここで、本発明の実施態様を以下に列挙する。
［実施態様１］被写体像を撮像する撮像装置の動作設定を自動的に変更させるための制御信号を、設定された空間範囲内で発信する通信手段を有することを特徴とする撮影管理装置。
【００３７】
［実施態様２］前記制御信号は、前記撮像装置による撮影動作を禁止させるための制御信号であることを特徴とする実施態様１に記載の撮影管理装置。
【００３８】
［実施態様３］前記制御信号は、前記撮影装置によるストロボ撮影を禁止させるための制御信号であることを特徴とする実施態様１に記載の撮影管理装置。
【００３９】
［実施態様４］前記制御信号は、前記撮影装置の操作音の発音を禁止させるための制御信号であることを特徴とする実施態様１に記載の撮影管理装置。
【００４０】
［実施態様５］前記通信手段は、前記撮像装置からの要求により、前記撮像装置内に保存させる画像データを前記撮像装置に対して送信することを特徴とする実施態様１〜４の何れか１項に記載の撮影管理装置。
【００４１】
［実施態様６］前記通信手段は、前記撮像装置からの要求により縮小画像のデータ一覧を前記撮像装置に対して送信した後、前記撮影装置からの更なる要求により、前記データ一覧から前記撮像装置上で選択された画像データを前記撮像装置に対して送信することを特徴とする実施態様１〜４の何れか１項に記載の撮影管理装置。
【００４２】
［実施態様７］設定された空間範囲内において撮影管理装置から発信される当該撮像装置の動作設定を制御するための制御信号を受信可能な通信手段と、
当該撮像装置の前記空間範囲内への進入により前記通信手段にて前記制御信号を受信すると、前記制御信号に基づいて当該撮像装置の動作設定を変更する設定変更手段とを有することを特徴とする撮像装置。
【００４３】
［実施態様８］前記制御信号は、当該撮像装置による撮影動作を禁止させるための制御信号であることを特徴とする実施態様７に記載の撮像装置。
【００４４】
［実施態様９］前記制御信号は、前記撮像装置によるストロボ撮像を禁止させるための制御信号であることを特徴とする実施態様７に記載の撮像装置。
【００４５】
［実施態様１０］前記制御信号は、前記撮像装置の操作音の発音を禁止させるための制御信号であることを特徴とする実施態様７に記載の撮像装置。
【００４６】
［実施態様１１］画像データを保存可能な画像データ保存手段を更に有し、
前記通信手段は、前記撮影管理装置に対して画像データの送信を要求する要求信号を送信することにより、前記要求信号に応じて前記撮影管理装置から送信される前記画像データを受信し、前記画像データ保存手段は、前記通信手段により前記撮影管理装置から受信した前記画像データを保存することを特徴とする実施態様７〜１０の何れか１項に記載の撮像装置。
【００４７】
［実施態様１２］画像データを保存可能な画像データ保存手段を更に有し、
前記通信手段は、前記撮影管理装置に対して縮小画像のデータ一覧を要求する旨の第１の要求信号を送信することにより、前記第１の要求信号に応じて前記撮影管理装置から送信される前記データ一覧を受信し、その後、前記データ一覧から選択された画像データを送信する旨の第２の要求信号を前記撮影管理装置に対して送信することにより、前記第２の要求信号に応じて前記撮影管理装置から送信される前記画像データを受信し、前記画像データ保存手段は、前記通信手段により前記撮影管理装置から受信した前記画像データを保存することを特徴とする実施態様７〜１０の何れか１項に記載の撮像装置。
【００４８】
［実施態様１３］実施態様１〜６の何れか１項に記載の撮影管理装置と、実施態様７〜１２の何れか１項に記載の撮像装置とを有することを特徴とする自動撮影管理システム。
【００４９】
［実施態様１４］被写体像を撮像する撮像装置の動作設定を制御するための制御信号を、設定された空間範囲内で撮影管理装置の通信手段から発信することにより、前記空間範囲内への進入により前記撮像装置が前記制御信号を受信すると、前記撮像装置は前記制御信号に基づいて動作設定を自動的に変更することを特徴とする自動撮影管理方法。
【００５０】
［実施態様１５］設定された空間範囲内において撮影管理装置から発信される撮像装置の動作設定を制御するための制御信号を、前記撮像装置が前記空間範囲内への進入により通信手段にて受信すると、前記撮像装置は前記制御信号に基づいて動作設定を変更することを特徴とする自動撮影管理方法。
【００５１】
［実施態様１６］実施態様１４又は１５に記載の自動撮影管理方法をコンピュータに実行させるためのプログラム。
【００５２】
［実施態様１７］実施態様１６に記載のプログラムを記録したコンピュータ読み取り可能な記録媒体。
【００５３】
【発明の効果】
本発明によれば、撮像装置の動作設定を制御する制御信号を、設定された空間範囲内で発信することにより、例えば、文化財や絵画等近傍では撮影動作を禁止させたい場合等のように、所定のエリア内においては撮像装置の動作設定を変更させることが可能となる。
【図面の簡単な説明】
【図１】本発明の一実施形態に係る自動撮影管理システム、代替画像提供システムの機器構成を示す図である。
【図２】本発明の一実施形態に係る撮像装置である電子カメラの外観図である。
【図３】本発明の一実施形態に係る撮像装置である電子カメラの概略構成を示すブロック図である。
【図４】本発明の一実施形態に係る撮影管理装置の外観図である。
【図５】本発明の一実施形態に係る撮影管理装置の概略構成を示すブロック図である。
【図６】本発明の一実施形態に係る撮像装置である電子カメラでの動作を示すフローチャートである。
【図７】本発明の一実施形態に係る撮像装置である電子カメラにおけるストロボ発光禁止処理の流れを示すフローチャートである。
【図８】本発明の一実施形態に係る撮像装置である電子カメラにおける撮影禁止処理の流れを示すフローチャートである。
【図９】本発明の一実施形態に係る撮像装置である電子カメラにおけるストロボ発光禁止状態での液晶表示画面の一例を示す図である。
【図１０】本発明の一実施形態に係る撮像装置である電子カメラにおける撮影禁止状態での液晶表示画面の一例を示す図である。
【図１１】本発明の一実施形態に係る撮像装置である電子カメラにおける撮影禁止状態での液晶表示画面の一例を示す図である。
【図１２】本発明の一実施形態に係る撮像装置である電子カメラにおける撮影禁止状態での液晶表示画面の一例を示す図である。
【図１３】本発明の一実施形態に係る撮像装置である電子カメラにおける代替画像取得処理の流れを示すフローチャートである。
【図１４】本発明の一実施形態に係る撮影管理装置における代替画像提供処理の流れを示すフローチャートである。
【符号の説明】
１  撮影管理装置
２  電子カメラ（撮像装置）
１００  撮影管理装置本体
１０１  モードスイッチ
１０２  範囲指定スイッチ
１０３  ＵＳＢコネクタ
１０４  アンテナ
２００  電子カメラ本体（撮像装置本体）
２０１  電源ボタン
２０２  表示部
２０３  表示パネル
２０４  シャッタボタン
２０５  操作ボタン
２０６  メニューボタン
２０７  セットボタン
２０８  再生ボタン
２０９  ＵＳＢコネクタ
２１０  アンテナ
４０１  撮像ユニット
４０２  主記憶装置（バッファメモリ）
４０３  画像記憶装置
４０４  ＵＳＢインタフェース（ＵＳＢ Ｉ／Ｆ）
４０５  表示ユニット
４０６  コントロールユニット
４０７  ボタン・スイッチユニット
４０８  撮影管理信号送受信ユニット
５０１  主記憶装置（バッファメモリ）
５０２  画像記憶装置
５０３  ＵＳＢインタフェース（ＵＳＢ Ｉ／Ｆ）
５０４  コントロールユニット
５０５  スイッチユニット
５０６  撮影管理信号送受信ユニット
【図１】
2004201232.tif 000003
【図２】
2004201232.tif 000004
【図３】
2004201232.tif 000005
【図４】
2004201232.tif 000006
【図５】
2004201232.tif 000007
【図６】
2004201232.tif 000008
【図７】
2004201232.tif 000009
【図８】
2004201232.tif 000010
【図９】
2004201232.tif 000011
【図１０】
2004201232.tif 000012
【図１１】
2004201232.tif 000013
【図１２】
2004201232.tif 000014
【図１３】
2004201232.tif 000015
【図１４】
2004201232.tif 000016